(57)【要約】【課題】ネットワーク・プラグや電話プラグを仕様の異なるプラグに変換する複合式簡易プラグを、簡単な構成で、且つ携帯性を備えたものとして提供する。【解決手段】複合式簡易プラグは、一つの絶縁キャビネット，複数個の端子，一つのコネクターと一つのネットワーク・プラグ又は一つの電話プラグを含む。絶縁キャビネットに一つの凹槽を設け、端子をそれぞれ絶縁キャビネットの中の凹槽に設け、コネクターを絶縁キャビネットの前端に設置する。ネットワーク・プラグ又は電話プラグは、凹槽１１において回動自在に軸接し、当該複数個の端子と電気的に接続する。【選択図】図５
2008159366.tif 000002
【特許請求の範囲】
【請求項１】
複合式簡易プラグは、
一つの凹槽を設ける一つの絶縁キャビネットと、
当該絶縁キャビネットの中にそれぞれ設けられ且つこれらの端子の一端がそれぞれ当該凹槽に現われる複数個の端子と、
当該絶縁キャビネットの前端に設置され且つ当該コネクターとこれらの端子の他端との電気的な接続を達成する一つのコネクターと、
当該凹槽の中に回動自在に軸接し当該ネットワーク・プラグとこれらの端子との電気的な接続を達成する一つのネットワーク・プラグと、を含むことを特徴とする複合式簡易プラグ。
【請求項２】
当該絶縁キャビネットの外縁面に一つの結合槽が形成され、当該結合槽が弾性を有する掛合部に対応して係合し、当該掛合部が当該ネットワーク・プラグの両側の天井面に係合することを特徴とする請求項１に記載の複合式簡易プラグ。
【請求項３】
当該掛合部と当該絶縁キャビネットとの間に弾性素子が設けられることにより、当該掛合部が弾性的に移動できることを特徴とする請求項２に記載の複合式簡易プラグ。
【請求項４】
当該掛合部は、複数個が間隔をおいて当該結合槽に係合し、これらの掛合部の間には弾性を有する弾性部が接続されることにより、これらの掛合部が弾性的に移動できることを特徴とする請求項２に記載の複合式簡易プラグ。
【請求項５】
当該絶縁キャビネットの外縁面に一つの結合槽が形成されることにより、複数個が間隔をおいて設置された掛合部に係合し、これらの掛合部の間には弾性を有する弾性部が接続され、その中でも、当該掛合部の一つが当該コネクターとこれらの端子との間に位置し、他の当該掛合部が弾性を有するように移動して当該ネットワーク・プラグの前端箇所に係止することを特徴とする請求項１に記載の複合式簡易プラグ。
【請求項６】
当該凹槽の壁面には互いに対応する一つの第１の軸接部が設置され、当該ネットワーク・プラグに二つの第２の軸接部が設けられ、当該ネットワーク・プラグの第２の軸接部がそれぞれ当該絶縁キャビネットの第１の軸接部に回動自在に軸接することにより、当該ネットワーク・プラグが当該絶縁キャビネットの凹槽の中に移動可能に軸接することを特徴とする請求項１に記載の複合式簡易プラグ。
【請求項７】
当該ネットワーク・プラグの後端がゴム封止部を一つ有し、これらの第２の軸接部がそれぞれ当該ゴム封止部の両側に形成されることを特徴とする請求項６に記載の複合式簡易プラグ。
【請求項８】
当該絶縁キャビネットの中に互いに対応する一つの係合部が設置され、当該ネットワーク・プラグの前端の両側がそれぞれ欠け口を一つ有し、当該ネットワーク・プラグの欠け口がそれぞれこれらの係合部に当接することを特徴とする請求項１に記載の複合式簡易プラグ。
【請求項９】
これらの係合部の両側にはそれぞれ開槽が設けられることにより、これらの係合部が弾性を有して当該ネットワーク・プラグの欠け口に係止することを特徴とする請求項８に記載の複合式簡易プラグ。
【請求項１０】
当該コネクターは、一つのＵＳＢ，一つのオーディオ端子，一つのＤＣプラグ，一つの携帯式電子製品のコネクター，一つのビデオ端子，一つのＩＥＥＥ１３９４及び一つのＨＤＭＩのいずれかであることを特徴とする請求項１に記載の複合式簡易プラグ。
【請求項１１】
当該コネクターとこれらの端子との間に一つの回路制御装置が設けられることにより、当該コネクターがこれらの端子と電気的に接続することを特徴とする請求項１に記載の複合式簡易プラグ。
【請求項１２】
複合式簡易プラグは、
一つの凹槽を設ける一つの絶縁キャビネットと、
当該絶縁キャビネットの中にそれぞれ設けられ且つこれらの端子の一端がそれぞれ当該凹槽に現われる複数個の端子と、
当該絶縁キャビネットの前端に設置され且つ当該コネクターとこれらの端子の他端との電気的な接続を達成する一つのコネクターと、
当該凹槽の中に回動自在に軸接する一つの接続部と、
当該接続部の内に回動自在に軸接し当該電話プラグとこれらの端子との電気的な接続を達成する一つの電話プラグとを含むことを特徴とする複合式簡易プラグ。
【請求項１３】
当該絶縁キャビネットの外縁面に一つの結合槽が形成され、当該結合槽が弾性を有する掛合部に対応して係合し、当該掛合部が当該接続部の両側の天井面に係合することを特徴とする請求項１２に記載の複合式簡易プラグ。
【請求項１４】
当該掛合部と当該絶縁キャビネットとの間に弾性素子が設けられることにより、当該掛合部が弾性的に移動できることを特徴とする請求項１３に記載の複合式簡易プラグ。
【請求項１５】
当該掛合部は、複数個が間隔をおいて当該結合槽に係合し、これらの掛合部の間には弾性を有する弾性部が接続されることにより、これらの掛合部が弾性的に移動できることを特徴とする請求項１３に記載の複合式簡易プラグ。
【請求項１６】
当該絶縁キャビネットの外縁面に一つの結合槽が形成されることにより、複数個が間隔をおいて設置された掛合部に係合し、これらの掛合部の間には弾性を有する弾性部が接続され、その中でも、当該掛合部の一つが当該コネクターとこれらの端子との間に位置し、他の当該掛合部が弾性を有するように移動して当該電話プラグ及び当該接続部の前端箇所に係止することを特徴とする請求項１２に記載の複合式簡易プラグ。
【請求項１７】
当該接続部は、一つのブラケット及び左と右の二つの側アームを有し、或いは当該接続部は、二つの側アームを有し、当該二つの側アームの内には当該電話プラグが軸接されることを特徴とする請求項１２に記載の複合式簡易プラグ。
【請求項１８】
当該凹槽の壁面に互いに対応する一つの第１の軸接部が設置され、当該二つの側アームの内縁に互いに対応する一つの第３の軸接部が設けられ、当該二つの側アームの外縁に互いに対応する一つの第４の軸接部が設けられ、当該電話プラグの両側に互いに対応する一つの第５の軸接部が設けられ、当該接続部の第３の軸接部が当該電話プラグの第５の軸接部に回動自在に軸接し、当該接続部の第４の軸接部が当該凹槽上の第１の軸接部に回動自在に軸接することにより、当該接続部および当該電話プラグが当該絶縁キャビネットの凹槽の中に移動可能に軸接することを特徴とする請求項１７に記載の複合式簡易プラグ。
【請求項１９】
当該電話プラグの後端がゴム封止部を一つ有し、これらの第５の軸接部がそれぞれ当該ゴム封止部の両側に形成されることを特徴とする請求項１８に記載の複合式簡易プラグ。
【請求項２０】
当該絶縁キャビネットの中に互いに対応する一つの係合部が設置され、当該二つの側アームの前端にそれぞれ一つの欠け口が設けられ、当該二つの側アームの欠け口がそれぞれこれらの係合部に当接することを特徴とする請求項１７に記載の複合式簡易プラグ。
【請求項２１】
これらの係合部の両側にはそれぞれ開槽が設けられることにより、これらの係合部が弾性を有して当該電話プラグの欠け口に係止することを特徴とする請求項２０に記載の複合式簡易プラグ。
【請求項２２】
当該二つの側アームにはそれぞれ一つの固定部が設けられ、当該二つの固定部がぞれぞれ当該電話プラグに固定されることを特徴とする請求項１７に記載の複合式簡易プラグ。
【請求項２３】
当該固定部の両側にはそれぞれトレンチが設けられることにより、当該固定部がそれぞれ弾性を有して当該電話プラグに係止することを特徴とする請求項２２に記載の複合式簡易プラグ。
【請求項２４】
当該コネクターは、一つのＵＳＢ，一つのオーディオ端子，一つのＤＣプラグ，一つの携帯式電子製品のコネクター，一つのビデオ端子，一つのＩＥＥＥ１３９４及び一つのＨＤＭＩのいずれかであることを特徴とする請求項１２に記載の複合式簡易プラグ。
【請求項２５】
当該コネクターとこれらの端子との間に一つの回路制御装置が設けられることにより、当該コネクターがこれらの端子と電気的に接続することを特徴とする請求項１２に記載の複合式簡易プラグ。
【請求項２６】
当該電話プラグには一つのコネクターが設けられ、当該コネクターは電話プラグのリードがその内部を穿設するように供し、当該コネクターの前部に複数個の線槽が設けられ、これらのリードが当該コネクターの後端を経由して線槽の内部に挿し込み且つ入り、当該コネクターが当該電話プラグの内部に係合して固定することにより、当該コネクターが当該電話プラグと一体に結合し、当該コネクターが当該接続部に回動自在に軸接することを特徴とする請求項１２に記載の複合式簡易プラグ。
【請求項２７】
当該電話プラグの後端に一つの第２のコネクターが接続され、当該電話プラグと当該第２のコネクターとの電気的な接続を達成することを特徴とする請求項１２に記載の複合式簡易プラグ。
【請求項２８】
当該第２のコネクターは、一つのＩＥＥＥ１３９４または一つのＨＤＭＩであることを特徴とする請求項２７に記載の複合式簡易プラグ。
【請求項２９】
複合式簡易プラグのアダプターは、一つの凹槽を設ける一つの絶縁キャビネットと、当該絶縁キャビネットの中にそれぞれ設けられ且つこれらの端子の一端がそれぞれ当該凹槽に現われる複数個の端子と、当該絶縁キャビネットの前端に設置され且つ当該コネクターとこれらの端子の他端との電気的な接続を達成する一つのコネクターとを含むことを特徴とする複合式簡易プラグのアダプター。
【請求項３０】
当該絶縁キャビネットの外縁面に一つの結合槽が形成され、当該結合槽が弾性を有する掛合部に対応して係合することを特徴とする請求項２９に記載の複合式簡易プラグのアダプター。
【請求項３１】
当該掛合部と当該絶縁キャビネットとの間に弾性素子が設けられることにより、当該掛合部が弾性的に移動できることを特徴とする請求項３０に記載の複合式簡易プラグのアダプター。
【請求項３２】
当該掛合部は、複数個が間隔をおいて当該結合槽に係合し、これらの掛合部の間には弾性を有する弾性部が接続されることにより、これらの掛合部が弾性的に移動できることを特徴とする請求項３０に記載の複合式簡易プラグのアダプター。
【請求項３３】
当該絶縁キャビネットの外縁面に一つの結合槽が形成されることにより、複数個が間隔をおいて設置された掛合部に係合し、これらの掛合部の間には弾性を有する弾性部が接続され、その中でも、当該掛合部の一つが当該コネクターとこれらの端子との間に位置し、他の当該掛合部が弾性を有するように移動することを特徴とする請求項２９に記載の複合式簡易プラグのアダプター。
【請求項３４】
当該コネクターとこれらの端子との間に一つの回路制御素子が設けられることにより、当該コネクターがこれらの端子と電気的に接続することを特徴とする請求項２９に記載の複合式簡易プラグのアダプター。
【請求項３５】
当該絶縁キャビネットの中に互いに対応する一つの係合部が設置され、当該係合部の両側にはそれぞれ開槽が設けられることを特徴とする請求項２９に記載の複合式簡易プラグのアダプター。
【請求項３６】
当該凹槽の中に回動自在に軸接する一つの接続部をさらに含むことを特徴とする請求項２９に記載の複合式簡易プラグのアダプター。
【請求項３７】
当該接続部は、一つのブラケットと、それぞれ当該ブラケットの両側から延伸する二つの側アームとを有することを特徴とする請求項３６に記載の複合式簡易プラグのアダプター。
【請求項３８】
当該絶縁キャビネットの後端付近の両側にそれぞれ軸接部が設けられ、当該二つの側アームの後端付近には、それぞれ互いに対応して軸接する他の軸接部が設けられることにより、当該接続部が当該絶縁キャビネットの凹槽の中に移動可能に軸接することを特徴とする請求項３７に記載の複合式簡易プラグのアダプター。
【発明の詳細な説明】
【技術分野】
【０００１】
本発明は、複合式簡易プラグに関し、特にコネクターと、ネットワーク又は電話プラグを接続するように用いられる構成を指し、必要に応じて各種の異なる仕様及び用途のコネクターに変換でき、且つネットワーク・プラグ又は電話プラグに変換するように提供される。
【背景技術】
【０００２】
従来の変換プラグは、必要に応じて異なる仕様の２種のプラグに変換でき、例えば電話プラグをネットワーク・プラグの仕様に変換する機能がある。
【０００３】
例えば、特許文献１の「簡易変換プラグの構成」、又は特許文献２は、本発明者の出願に関連する先願の特許であるが、これが一つの絶縁本体，複数個の端子と一つの変換部材を掲示し、絶縁本体が複数個の端子槽を有し、端子がそれぞれ端子槽の内に設けられ、変換部材が絶縁本体の上に軸接して被い、必要に応じて回転を調整できる。ただ、特許文献１及び特許文献２は異なる仕様のプラグに変換する効果を達成でき、変換部材では電話プラグをネットワーク・プラグに変換するが、使用上では依然として不足な箇所を多く有する。
【０００４】
ゆえに本発明者は、前述の改善可能な欠点を感じ、如何に既存の範疇を突破するかのために、特に鋭意研究をしかつ学理の運用に対応し、ついに設計が合理で且つ有効に前述の欠点を改善してより解決する本発明を提出する。
【特許文献１】中華民国出願第９４２１７８５１号
【特許文献２】米国特許公開２００６／０００９０８３号
【発明の開示】
【発明が解決しようとする課題】
【０００５】
本発明の目的は、複合式簡易プラグを提供することで、絶縁キャビネットが各種の異なる仕様のプラグに転換するように適用できる。
【０００６】
本発明の他の目的は、アダプターの効果を有する絶縁キャビネットにより、ネットワーク・プラグ又は電話プラグに接続し、各種の異なるプラグ・タイプに変換し、且つ接続部を一つ利用できることにより、ネットワーク・プラグから電話プラグに変換し、或いは電話プラグからネットワーク・プラグに変換できるものである。接続部が絶縁キャビネットと電話プラグとの間に接続され、ひいては複合式簡易プラグの構成を形成し、簡単な構成，小体積，コストの有効な低減，便利な携帯性などを有し、且つ各種の異なる仕様のプラグに容易に変換して使用できる。
【課題を解決するための手段】
【０００７】
前述の目的を達成するために、本発明の複合式簡易プラグは、一つの凹槽を設ける一つの絶縁キャビネットと、当該絶縁キャビネットの中にそれぞれ設けられ且つこれらの端子の一端がそれぞれ当該凹槽に現われる複数個の端子と、当該絶縁キャビネットの前端に設置され且つ当該コネクターとこれらの端子の他端との電気的な接続を達成する一つのコネクターとを含む。
【０００８】
本発明の凹槽は、一つのネットワーク・プラグに回動自在に軸接し、当該ネットワーク・プラグとこれらの端子との電気的な接続を達成し、或いは延いては当該凹槽は、一つの接続部に回動自在に軸接し、当該接続部の内に一つの電話プラグに軸接し、当該電話プラグとこれらの端子との電気的な接続を達成する。
【発明の効果】
【０００９】
これにより、絶縁キャビネットが各種の異なる仕様のプラグに転換するように適用でき、且つ必要に基づいて凹槽の上にネットワーク・プラグが接続でき、或いは一つの接続部に接続できることにより、異なる仕様の電話プラグに接続し、電話プラグをネットワーク・プラグの仕様に変換でき、簡易な置換の効果を提供し、より便利な複合式簡易変換プラグを提供できる。
【発明を実施するための最良の形態】
【００１０】
本発明が予定の目的を達成するために採用される技術，方法及び効果をより理解しやすくするために、以下に添付の図面を参照しながら詳細に説明する。本発明の目的，特徴と特色がこれにより深く具体的に理解されると信ずるが、添付の図面はただ参考と説明のみに供され、本発明をより限定するために用いられるわけではない。
【００１１】
図１ないし図４に示すように、本発明は複合式簡易プラグを提供するが、これが一つの絶縁キャビネット１０，複数個の端子２０と一つのコネクター３０を含む。その中でも、当該絶縁キャビネット１０がプラスチック等の絶縁材料により製造され、当該絶縁キャビネット１０の一方に一つの凹槽１１が設けられ、当該凹槽１１の後端は切欠き状を呈する。ひいては当該絶縁キャビネット１０の中における凹槽１１の壁面に、互いに対応する係合部１２と第１の軸接部１３が設置され、当該二つの係合部１２がそれぞれ当該凹槽１１の左，右の二つの壁面上に突設し、且つ当該凹槽１１の前端付近の箇所に位置し、当該二つの係合部１２の端面はそれぞれ円弧状を呈する。当該二つの第１の軸接部１３がそれぞれ当該凹槽１１の左，右の二つの壁面に設置され、且つ当該凹槽１１の後端付近の箇所に位置し、当該二つの第１の軸接部１３は円孔または円柱であっても良い。
【００１２】
これらの端子２０は導電性を有する金属材料により製造され、その数は限定されず、それぞれ等距離の間隔にて当該絶縁キャビネット１０の中に設置され、これらの端子２０の一端がそれぞれ屈曲状を呈して当該凹槽１１の中に現われる。当該コネクター３０が当該絶縁キャビネット１０の前端に設置され、且つこれらの端子２０の他端との電気的な接続を達成し、当該コネクター３０が一つのＵＳＢであってもよく、雄ワーク・タイプ（例えば図１）又は雌ワーク・タイプ（例えば図２）であってもよく、或いは当該コネクター３０も一つのオーディオ端子（例えば図３）であってもよい。前述の構成により、本発明の絶縁キャビネット１０は、端子２０とコネクター３０にて、アダプター（又はアダプター・ヘッドと言う）を有する効果を形成する。
【００１３】
本発明の主要な点は、絶縁キャビネット１０の上に端子２０とコネクター３０が設置され、凹槽１１が回動自在に軸接するネットワーク・プラグ４０を提供でき、当該ネットワーク・プラグ４０の上における端子４１が当該絶縁キャビネット１０の上における端子２０との電気的な接続を達成できる。ひいては当該ネットワーク・プラグ４０に二つの第２の軸接部４２を設けることが出来、当該二つの第２の軸接部４２がそれぞれ当該ネットワーク・プラグ４０の両側に設置され、当該二つの第２の軸接部４２が円柱または円孔であっても良い。当該ネットワーク・プラグ４０の第２の軸接部４２がそれぞれ当該絶縁キャビネット１０の第１の軸接部１３に回動自在に軸接することにより、当該ネットワーク・プラグ４０が移動可能な方式にて当該絶縁キャビネット１０の凹槽１１の上に軸接する。当該ネットワーク・プラグ４０の前端の両側がそれぞれ欠け口４３を一つ有し、当該ネットワーク・プラグ４０の欠け口４３がそれぞれ当該凹槽１１の上における係合部１２に当接でき、当該ネットワーク・プラグ４０が当該絶縁キャビネット１０の凹槽１１の上に回動自在に固定されることにより、ネットワーク・プラグ４０が揺れを生成することを避ける。
【００１４】
従って、本発明は、絶縁キャビネット１０にてネットワーク・プラグ４０とコネクター３０を接続することにより、絶縁キャビネット１０が２種の仕様に直接に転換でき、ネットワーク・プラグ４０がコネクター３０（例えばＵＳＢ）に転換することによりノート・パソコン又はデスク・パソコン等の電子情報製品に挿入してつなぐことと、電子情報製品の製造業者は需要のネットワーク・コンセントを簡略化できる必要な部材を提供することが可能で、且つひいては厚さを低減することにより、軽薄短小の度合いを追求できる。さらに、ユーザーが外出する時に、携帯が便利で空間を占用しないようにする。
【００１５】
さらに、例えば図５ないし図８に示すように、ネットワーク・プラグ４０と電話プラグ６０について、両者の間における寸法が異なるため、ひいては本発明の絶縁キャビネット１０の凹槽１１が一つの接続部５０に回動自在に軸接する。当該接続部５０が一つのブラケット５１及びそれぞれ当該ブラケット５１の左と右の両側から延伸した二つの側アーム５２を有し、当該二つの側アーム５２の内縁後端付近に互いに対応する一つの第３の軸接部５３が設けられ、当該第３の軸接部５３は円孔または円柱であってもよく、当該二つの側アーム５２の外縁後端付近に互いに対応する一つの第４の軸接部５４が設けられ、当該第４の軸接部５４は円柱または円孔であってもよい。当該二つの第３の軸接部５３と当該二つの第４の軸接部５４が互いに対応し、当該電話プラグ６０の前端が端子６１を有し、且つ両側の後端付近に互いに対応する一つの第５の軸接部６２が設けられ、当該第５の軸接部６２は円孔または円柱であってもよい。当該二つの側アーム５２の前端にそれぞれ一つの凹口５５が設けられ、ひいては当該二つの側アーム５２の上方箇所にそれぞれ一つの固定部５６を設けることが出来、当該二つの固定部５６が円弧状を呈する。
【００１６】
これにより、当該接続部５０の第３の軸接部５３を利用して当該電話プラグ６０の第５の軸接部６２に回動自在に軸接し、当該接続部５０の第４の軸接部５４が当該凹槽１１の上における第１の軸接部１３に回動自在に軸接することにより、当該接続部５０及び当該電話プラグ６０が移動可能な方式にて当該絶縁キャビネット１０の凹槽１１の上に軸接する。当該二つの側アーム５２の凹口５５は、それぞれ当該凹槽１１の上における係合部１２に当接でき、当該電話プラグ６０の端子６１と当該絶縁キャビネット１０の端子２０との電気的な接続を達成する。これにより、本発明が異なる仕様のプラグ（例えばネットワーク・プラグ４０、電話プラグ６０）に適用でき、電話プラグ６０が当該接続部５０に軸接する時に、当該二つの固定部５６が当該電話プラグ６０の上端を固定するように使用できることにより、電話プラグ６０が揺れを生じることを避ける。
【００１７】
さらに、当該接続部５０が当該二つの側アーム５２のみを具備し、当該二つの側アーム５２が同時に当該ネットワーク・プラグ４０及び当該絶縁キャビネット１０に軸接することにより、前述のように等価な効果を提供する。
【００１８】
さらに、図９に示すように、当該コネクター３０は、一つのＤＣプラグであってもよく、雄ワーク又は雌ワーク（図示せず）であってもよい。或いは図１０に示すように、当該コネクター３０は、一つの携帯式電子製品のコネクター、例えば携帯電話またはＰＤＡであってもよい。さらに、図１１に示すように、当該コネクター３０は、一つのビデオ端子であってもよい。
【００１９】
さらに、図１１に示すように、当該ネットワーク・プラグ４０の構成も異なるものに変化させることが出来、ひいてはその後端が射出成形（Molding）などの方式により一つのゴム封止部４４を形成でき、そして前述の第２の軸接部４２がゴム封止部４４の両側に形成できる。
【００２０】
さらに、図１２に示すように、本発明の電話プラグ６０の形状および構成も異なるものに変化させることが出来、ひいては本実施の形態では主として一つのコネクター６３を接続するように設け、それがプラスチック等の絶縁材料により製造され、当該コネクター６３は、電話プラグ６０のリード（図示せず）が内部を穿設するようにすることが出来る。当該コネクター６３の前部に複数個の線槽６４が設けられ、これらのリードが当該コネクター６３の後端を経由して線槽６４の内部に挿し込まれている。これらのリードは予め当該コネクター６３に接続し、この後に当該コネクター６３が当該電話プラグ６０の後端を経由して挿し込まれ、当該コネクター６３によりリードに連動する。当該電話プラグ６０の内部前端箇所に入って、且つ当該コネクター６３が当該電話プラグ６０の内部に係合して固定されることにより、当該コネクター６３が当該電話プラグ６０と一体に結合し、当該電話プラグ６０の端子６１とこれらのリードの内部導体との電気的な接続を達成する。そして当該二つの第５の軸接部６２が当該コネクター６３の左，右の両側上に設けられ、当該接続部５０の第３の軸接部５３が当該コネクター６３の第５の軸接部６２と回動自在に軸接する。
【００２１】
ひいては、より具体的に言えば、前述のコネクター６３の後端も射出成形などの方式を利用することにより一つのゴム封止部６５を形成でき、そして前述の第５の軸接部６２をゴム封止部６５の両側に設置することにより、前述の効果を達成する。
【００２２】
さらに、ひいては当該接続部５０の二つの側アーム５２の固定部５６の両側にそれぞれトレンチ５７が開設されることにより、当該固定部５６がそれぞれ弾性を有して当該電話プラグ６０に係止する。さらに延いては当該絶縁キャビネット１０の係合部１２の両側にそれぞれ開槽１２１が開設されることにより、当該係合部１２が弾性を有してそれぞれ当該二つの側アーム５２の凹口５５に係止し、或いは弾性を有してそれぞれネットワーク・プラグ４０の欠け口４３に係止する（図示せず）。
【００２３】
さらに、図１３に示すように、本発明の電話プラグ６０の後端にも、一つの第２のコネクター７０を接続でき、且つ当該電話プラグ６０の端子（図示せず）と当該第２のコネクター７０の内における端子（図示せず）との電気的な接続を達成し、当該第２のコネクター７０も一つのアダプターを形成できる。当該第２のコネクター７０は、一つのＩＥＥＥ１３９４であってもよく、或いは図１４に示すように、当該第２のコネクター７０も、一つのＨＤＭＩ（High-Definition Multimedia Interface，ハイディフィニション・マルチメディアインタフェース）であってもよい。
【００２４】
さらに、図１３に示すように、当該第２のコネクター７０と当該電話プラグ６０との間にも、射出成形などの方式を利用することにより、一つのゴム封止部７１を形成できる。当該電話プラグ６０が当該第２のコネクター７０と結合し、ひいては前述の端子が互いに接続して電気的な導通を形成し、前述の第５の軸接部６２もゴム封止部７１の両側に設置することにより、同様の効果を達成する。
【００２５】
図１５に示すように、当該絶縁キャビネット１０の外縁面が当該コネクター３０に隣接する箇所では、一つの凹の結合槽１４が形成され、当該結合槽１４が弾性を有する掛合部１５に対応して係合でき、当該掛合部１５が略Ｕ字状を呈し、当該接続部５０の固定部５６の箇所に隣接する両側の天井面に係合でき、或いは当該ネットワーク・プラグ４０の欠け口４３の箇所に隣接する両側の天井面（図示せず）に係合できる。ひいては当該掛合部１５と当該絶縁キャビネット１０との間に、二つの弾性素子１６、例えば圧縮バネまたは他の類似の弾性素子などが収容して設置でき、その一端をそれぞれ当該凹槽１４の当接する壁面内に収容して設置し、他の端を当該掛合部１５の当接する一方の内に収容して設置することにより、当該掛合部１５が弾性を有して前後に移動できる。然しながら、弾性素子１６のみを一つ設けることにより、前述の効果を達成できる。
【００２６】
然しながら、当該電話プラグ６０の後端にもゴム封止部６５を形成でき、そして第５の軸接部６２がゴム封止部６５の両側の上に設置できることにより、前述の効果を達成する。
【００２７】
さらに延いては当該絶縁キャビネット１０の中におけるコネクター３０と端子２０との間に、一つの回路制御装置１７を設けることが出来、当該回路制御装置１７が一つの回路基板と複数個の電子素子から構成できることにより、コネクター３０と端子２０との電気的な導通およびネットワーク・プラグ４０又は電話プラグ６０の信号変換の効果を達成する。
【００２８】
図１６に示すように、前述の掛合部１５は、複数個を設けることが出来、図面中では、二つの掛合部１５を呈して前後の間隔にて当該結合槽１４に係合できるように設置し、且つこれらの掛合部１５の両側の間に、それぞれ弾性を有する一つの弾性部１５１、例えばゴム，弾性シートや他の類似の弾性部などが更に接続されることにより、これらの掛合部１５が弾性を有して前後に移動できる。
【００２９】
図１７に示すように、ひいては前述の絶縁キャビネット１０，接続部５０と電話プラグ６０などの外形構成等は、より変更することができる。例えば本図面中では、電話プラグ６０も異なるものに変更することができる。例えば内部の端子６１の数量の増加を行うことが出来、そして絶縁キャビネット１０と接続部５０の外形および構成等については、説明しない。
【００３０】
その中でも、掛合部１５の構成が前述の実施の形態と異なるのは、二つの掛合部１５が逆Ｕ字状を呈し、前後の間隔にて当該結合槽１４に係合するように設置し、且つ掛合部１５の間にも弾性部１５１が接続される。そして前方のコネクター３０の箇所に近い掛合部１５がコネクター３０と端子２０と間に位置することにより、コネクター３０の内部の端子（図示せず）と端子２０を遮蔽して保護する。そして他の掛合部１５が電話プラグ６０の前端箇所（又はネットワーク・プラグ４０の前端箇所）に位置し、弾性部１５１の効果により、当該掛合部１５が弾性を有して前後に移動し、電話プラグ６０と接続部５０（又はネットワーク・プラグ４０）の前端上方箇所に係止して固定できる。
【００３１】
以上の叙述を総合し、本発明の絶縁キャビネット１０は、ネットワーク・プラグ４０を接続するように提供できることにより、２種の異なる仕様のプラグ・タイプに転換するように提供し、且つ巧みな構成設計により、需要に基づいて各種な異なるコネクター３０に変換でき、アダプターの効果を有する。さらに接続部５０を使用でき、ネットワーク・プラグ４０から異なる寸法の電話プラグ６０に置換でき、電話プラグ６０をネットワーク・プラグ４０の仕様に変換でき、置換容易な効果を提供する。接続部５０を利用することにより、当該絶縁キャビネット１０が同時に異なる仕様のネットワーク・プラグ４０と電話プラグ６０に応用でき、簡単な構成，製造の容易さ，小体積，コストの有効な低減，便利な携帯性などの効果を有し、且つ各種の異なる仕様のプラグに容易に変換して使用できる。
【００３２】
ただし前述の図面，説明は、本発明の実施の形態のみについてのものであり、いかなる当該技術をよく理解する者でも、前述の説明に基づいて他の様々な改良が出来、そしてこれらの変更が依然として本発明の発明精神および特許請求の範囲中に属する。
【図面の簡単な説明】
【００３３】
【図１】本発明のコネクターの第１の実施の形態である接続ネットワーク・プラグの斜視分解図である。
【図２】本発明のコネクターの第２の実施の形態である接続ネットワーク・プラグの斜視分解図である。
【図３】本発明のコネクターの第３の実施の形態である接続ネットワーク・プラグの斜視分解図である。
【図４】本発明の接続ネットワーク・プラグの接合状態の模式図である。
【図５】本発明の接続接合部および電話プラグの斜視分解図である。
【図６】本発明の接合部と電話プラグとの接合状態の斜視図である。
【図７】本発明の接合部と絶縁キャビネットとの接合状態の斜視図である。
【図８】本発明の接続電話プラグと接合部との接合状態図である。
【図９】本発明のコネクターの第４の実施の形態である接続ネットワーク・プラグの斜視分解図である。
【図１０】本発明のコネクターの第５の実施の形態である接続ネットワーク・プラグの斜視分解図である。
【図１１】本発明のコネクターの第６の実施の形態である接続ネットワーク・プラグの斜視分解図である。
【図１２】本発明の電話プラグをコネクターに接合する場合の斜視分解図である。
【図１３】本発明の電話プラグを第２のコネクターに接合する場合の第１の実施の形態を示す図である。
【図１４】本発明のコネクターの電話プラグを第２のコネクターに接合する場合の第２の実施の形態を示す図である。
【図１５】本発明の接続掛合部および絶縁キャビネットの第１の実施の形態を示す図である。
【図１６】本発明の接続掛合部および絶縁キャビネットの第２の実施の形態を示す図である。
【図１７】本発明の接続掛合部および絶縁キャビネットの第３の実施の形態を示す図である。
【符号の説明】
【００３４】
１０  絶縁キャビネット
１１  凹槽
１２  係合部
１３  第１の軸接部
１４  結合槽
１５  掛合部
１６  弾性素子
１７  回路制御装置
２０  端子
３０  コネクター
４０  ネットワーク・プラグ
４１  端子
４２  第２の軸接部
４３  欠け口
４４  ゴム封止部
５０  接続部
５１  ブラケット
５２  側アーム
５３  第３の軸接部
５４  第４の軸接部
５５  凹口
５６  固定部
５７  トレンチ
６０  電話プラグ
６１  端子
６２  第５の軸接部
６３  コネクター
６４  線槽
６５  ゴム封止部
７０  第２のコネクター
７１  ゴム封止部
１２１  開槽
１５１  弾性部
【図１】
2008159366.tif 000003
【図２】
2008159366.tif 000004
【図３】
2008159366.tif 000005
【図４】
2008159366.tif 000006
【図５】
2008159366.tif 000007
【図６】
2008159366.tif 000008
【図７】
2008159366.tif 000009
【図８】
2008159366.tif 000010
【図９】
2008159366.tif 000011
【図１０】
2008159366.tif 000012
【図１１】
2008159366.tif 000013
【図１２】
2008159366.tif 000014
【図１３】
2008159366.tif 000015
【図１４】
2008159366.tif 000016
【図１５】
2008159366.tif 000017
【図１６】
2008159366.tif 000018
【図１７】
2008159366.tif 000019